(57)【要約】      （修正有）【課題】マスクを顔に装着した状態で、顔に対するマスク本体の装着状態の調整、特にマスク本体で覆われた顔の部分の換気を容易に行えるマスクを提供する。【解決手段】中央に開口部１３ａを設けた左右の筒状部１３がその下縁に沿って形成されたマスク本体１１と、開口部から長さ調整部２１を突出させて左右の筒状部を貫通した後に、左右の耳３を拘束する拘束ループ部２２を形成してその両端がマスク本体の上縁に固定された装着用紐２０と、長さ調整部の両端部で装着用紐を摩擦保持すると共に開口部に係合する紐止めストッパー３０と、を有し、顎５とマスク本体との間に指を挿入して前方へ引き出すことにより顎とマスク本体との間に隙間１１ｃを形成可能である。【選択図】図１
0003231225.tif 000002
【実用新案登録請求の範囲】
【請求項１】
中央に開口部を設けた筒状部がその下縁の左右方向に沿って設けられたマスク本体と、
前記開口部から外部へ長さ調整部を突出させて前記筒状部を左右方向に貫通した後に、左右の耳を拘束する拘束ループ部を形成してその両端が前記マスク本体の前記上縁に取り付けられた装着用紐と、
前記長さ調整部において前記装着用紐を摩擦保持する紐止めストッパーと、を有し、
前記紐止めストッパーを操作して前記装着用紐の長さを調節することにより、前記マスク本体が顔面に装着される状態と、前記マスク本体のマスク本体下部側が解放される状態を形成可能となしたことを特徴とするマスク。
【請求項２】
前記マスク本体は、中央を突出させて左右の両側へ平坦に成形されたマスク本体上部と、複数のひだを折り込んで前記マスク本体上部の下縁部に縫合されたマスク本体下部と、を有し、
前記マスク本体下部側は、前記複数のひだにより鼻と口を緩く覆うと共に、前記装着用紐を緩めた際に前記マスク本体下部側を広く開けることができることを特徴とする、請求項１に記載のマスク。
【請求項３】
前記筒状部が前記紐止めストッパーよりも大きな摩擦保持力で前記装着用紐を摩擦保持しており、
顎と前記マスク本体との間に指を挿入して前方へ引き出した際に前記紐止めストッパーが滑って前記長さ調整部から前記筒状部へ前記装着用紐が移動することを特徴とする請求項１又は２に記載のマスク。
【請求項４】
前記筒状部が前記紐止めストッパーよりも大きな摩擦保持力で前記装着用紐を摩擦保持しており、
前記装着用紐を両耳に係合させて前記長さ調整部を一方の手で保持した状態で、前記紐止めストッパーを他方の手の指で保持して前後方向及び左右方向に移動することにより前記マスク本体の装着状態を調整可能であることを特徴とする請求項１又は２のマスク。
【請求項５】
前記紐止めストッパーは、平坦に圧し潰された熱可塑性樹脂繊維のベルト材料のリングの中央部を密着させることにより当該中央部を挟んで前記装着用紐を貫通させて摩擦保持する一対の貫通部が形成されていることを特徴とする請求項３又は４に記載のマスク。
【請求項６】
前記紐止めストッパーは、前記リングの中央部に交差させてシート材料が巻かれていることを特徴とする請求項５に記載のマスク。
【請求項７】
前記装着用紐は、帯状の布を二つ折りして両側の縁を内側に折り込んで長手方向に縫い合わせた平坦な布紐であることを特徴とする請求項１〜６のいずれか１項に記載のマスク。
【請求項８】
前記マスク本体に前記装着用紐の共通の面を重ねて前記拘束ループ部が形成されることにより、前記拘束ループ部が前記装着用紐の共通の面を耳に連続的に当接させて耳を周回することを特徴とする請求項７に記載のマスク。
【考案の詳細な説明】
【技術分野】
【０００１】
本考案は、マスク本体から左右に突出させた装着用紐の拘束ループ部を左右の耳に引っかけて使用されるマスクに関する。
【背景技術】
【０００２】
マスクは、通常、マスク本体から左右に突出した装着用紐の拘束ループ部を、左右の耳に引っかけてマスク本体を鼻及び口を含む顔面領域に覆って使用される。しかしながら、歩行時や走行時にマスクを装着したままで体を動かしていると、息苦しくなる場合がある上に、水分や食事を摂る際には、マスクを外すか、或はマスク本体を引っ張って下顎に引っかけて口の部分を開けなくてはならず、煩雑である上に、マスク本体を完全に顔の部分から取り外すことになるので、ウイルに感染する危険性が高まることになるという問題があった。そこで、顔に装着したままでマスク本体の位置を調整できるように構成したマスクに対する先行公知技術が特許文献１で公知である。この公知のマスクは、マスク本体の裏側の下縁中央の開口部から装着用紐の中間位置をループ状に下垂させてマスク本体の裏側に装着用紐の紐止めストッパーを取り付けた日焼け防止用マスクである。
【先行技術文献】
【特許文献】
【０００３】
【特許文献１】特開２０１７−７５４１１号公報
【考案の概要】
【考案が解決しようとする課題】
【０００４】
特許文献１のマスクは、装着用紐の拘束部材がマスク本体の裏側にあるため、顔に装着した状態で行う紐止めストッパーの操作が手探り作業となるため、顔に対するマスク本体の装着状態の調整が難しいという問題があった。また、装着用紐がマスク本体の下縁部側に左右方向に渡って設けた筒状部内を通していないので、マスク本体のあごの部分に対する締付けや解放操作が十分いなされないという問題もあった。
【０００５】
本考案は、顔に装着した状態で、顔に対するマスク本体の装着状態の調整、特にマスク本体で覆われた顔の部分の換気や、水分や食事の摂取を容易に行えるマスクを提供することを目的としている。
【課題を解決するための手段】
【０００６】
このような課題を解決するために、請求項１のマスクは、中央に開口部を設けた筒状部がその下縁の左右方向に沿って設けられたマスク本体と、前記開口部から外部へ長さ調整部を突出させて前記筒状部を左右方向に貫通した後に、左右の耳を拘束する拘束ループ部を形成してその両端が前記マスク本体の前記上縁に取り付けられた装着用紐と、前記長さ調整部において前記装着用紐を摩擦保持する紐止めストッパーと、を有し、前記紐止めストッパーを操作して前記装着用紐の長さを調節することにより、前記マスク本体が顔面に装着される状態と、前記マスク本体のマスク本体下部側が解放される状態を形成可能となしたことを特徴とする。
【０００７】
請求項２のマスクは、前記マスク本体が、中央を突出させて左右の両側へ平坦に成形されたマスク本体上部と、複数のひだを折り込んで前記マスク本体上部の下縁部に縫合されたマスク本体下部と、を有し、前記マスク本体下部側は、前記複数のひだにより鼻と口を緩く覆うと共に、前記装着用紐を緩めた際に前記マスク本体下部側を広く開けることができることを特徴とする。
【０００８】
請求項３のマスクは、前記筒状部が前記紐止めストッパーよりも大きな摩擦保持力で前記装着用紐を摩擦保持しており、顎と前記マスク本体との間に指を挿入して前方へ引き出した際に前記紐止めストッパーが滑って前記長さ調整部から前記筒状部へ前記装着用紐が移動することを特徴とする。
【０００９】
請求項４のマスクは、前記筒状部が前記紐止めストッパーよりも大きな摩擦保持力で前記装着用紐を摩擦保持しており、前記装着用紐を両耳に係合させて前記長さ調整部を一方の手で保持した状態で、前記紐止めストッパーを他方の手の指で保持して前後方向及び左右方向に移動することにより前記マスク本体の装着状態を調整可能であることを特徴とする。
【００１０】
請求項５のマスクは、前記紐止めストッパーが、熱可塑性樹脂繊維のシート材料のリングの中央部を密着させることにより当該中央部を挟んで前記装着用紐を貫通させて摩擦保持する一対の貫通部が形成されていることを特徴とする。
【００１１】
請求項６のマスクは、前記紐止めストッパーが、前記リングの中央部に交差させてシート材料が巻かれていることを特徴とする。
【００１２】
請求項７のマスクは、前記装着用紐が、帯状の布を二つ折りして両側の縁を内側に折り込んで長手方向に縫い合わせた平坦な布紐であることを特徴とする。
【００１３】
請求項８のマスクは、前記マスク本体に前記装着用紐の共通の面を重ねて前記拘束ループ部が形成されることにより、前記拘束ループ部が前記装着用紐の共通の面を耳に連続的に当接させて耳を周回することを特徴とする。
【考案の効果】
【００１４】
請求項１のマスクによれば、マスクを顔に装着した状態で、顎と前記マスク本体の下縁部との間に指を挿入して前方へ引き出すことにより、顎と前記マスク本体との間に隙間を形成して、顔に対するマスク本体の装着状態の調整、特にマスク本体で覆われた顔の部分の換気を容易に行うことができる。
【００１５】
請求項２のマスクによれば、マスク本体下部に形成されたひだによって鼻と口の周りに周囲の外気から隔離された空間が形成されてそこに空気が保持され、紐止めストッパーのスライドによってこの空間の大きさと保持する空気の量や湿度が調整される。このため、顔に装着した状態で紐止めストッパーを移動して行う、呼吸及び顔の湿り具合の調整が容易なマスクを提供することができる。
【００１６】
請求項３のマスクによれば、筒状部が紐止めストッパーよりも大きな摩擦保持力で装着用紐を摩擦保持しているので、顎とマスク本体との間に指を挿入して前方へ引き出した際に紐止めストッパーが滑って長さ調整部から筒状部へ円滑に装着用紐が移動する。
【００１７】
請求項４のマスクによれば、筒状部が紐止めストッパーよりも大きな摩擦保持力で装着用紐を摩擦保持しているので、装着用紐を両耳に係合させて長さ調整部を一方の手で保持した状態で、紐止めストッパーを他方の手の指で保持して前後方向及び左右方向に移動する際に紐止めストッパーが滑って長さ調整部から筒状部へ円滑に装着用紐が移動する。紐止めストッパーを左右方向に移動させて、マスク本体の装着状態の左右のバランスの調整を容易に行うことができる。
【００１８】
請求項５のマスクによれば、紐止めストッパーの一対の貫通部が左右の装着用紐を平行に間隔を持たせて安定的に摩擦保持する。そして、紐止めストッパーの中央部を他方の手の指で挟んで前後又は上下或いは左右に移動させることにより、紐止めストッパーを容易かつ精密に操作できる。また、紐止めストッパーの厚みが薄く軽量になり、ガラスビーズ等に比較してマスク本体に対してぶらぶらし難くなるため、紐止めストッパーがユーザーの運動や作業の邪魔になり難い。
【００１９】
請求項６のマスクによれば、装着用紐を挟み込む余地の無いリングの中央部にシート材料が巻かれているので、紐止めストッパーを指で挟んで保持する際の目印となる。
【００２０】
請求項７のマスクによれば、マスク本体の筒状部と装着用紐の摩擦及び紐止めストッパーと装着用紐の摩擦の安定性に優れる。布紐からなる装着用紐は、紐止めストッパーに対する両面の接触面積が大きいことに加えてエッジが変形し易いため、装着用紐のエッジを紐止めストッパーに引っ掛けて摩擦変動することが少なく、マスク本体の装着状態に影響を及ぼすことなく紐止めストッパーを滑らかにスライドさせることができる。
【００２１】
請求項８のマスクによれば、平坦に形成された装着用紐が捩じれたエッジを耳に突き当てることなく、共通な面を接触させて耳を周回しているから、耳に負担少なくマスク本体を顔に位置決めて保持することができる。
【図面の簡単な説明】
【００２２】
【図１】本考案の実施の形態１のマスクをユーザーが装着した状態の説明図であって、（ａ）は紐止めストッパーをスライドさせて拘束ループ部を締め付けた状態、（ｂ）は装着用紐と共にマスク本体１１を前方へ緩めた状態である。
【図２】本考案の実施の形態１のマスクの正面図であって、（ａ）はマスク本体から調整用ループ部側へ装着用紐を引っ張り出した状態、（ｂ）はマスク本体から拘束ループ部へ装着用紐を引っ張り出した状態である。
【図３】本考案の実施の形態１のマスクの装着用紐の説明図であって、（ａ）は拘束ループ部の構造の平面図、（ｂ）は（ａ）の指示記号２２Ｐで示した装着用紐の部分の一部断面拡大斜視図である。
【図４】本考案の実施の形態１のマスクの部分構造の説明図であって、（ａ）は二つ折りしたマスク本体の縫合状態の平面図、（ｂ）は紐止めストッパーの正面図、（ｃ）は紐止めストッパーのＡ−Ａ断面図である。
【図５】本考案の実施の形態２のマスクをユーザーが装着した状態の説明図であって、（ａ）は紐止めストッパーをスライドさせて拘束ループ部を締め付けた状態、（ｂ）は装着用紐と共にマスク本体１１を前方へ緩めた状態である。
【図６】本考案の実施の形態２のマスクの正面図であって、（ａ）はマスク本体から調整用ループ部側へ装着用紐を引っ張り出した状態、（ｂ）はマスク本体から拘束ループ部へ装着用紐を引っ張り出した状態である。
【図７】実施の形態１とは装着用紐の取り付け方法を異ならせた本考案の実施の形態３のマスクの正面図である。
【図８】実施の形態１とは装着用紐の取り付け方法を異ならせた本考案の実施の形態４のマスクの正面図である。
【考案を実施するための形態】
【００２３】
本考案の実施の形態を、添付した図面を参照して詳細に説明する。
【００２４】
＜実施の形態１＞
図１（ａ）に示すように、実施の形態１のマスク１０は、装着用紐２０の拘束ループ部２２、２２を耳３、３に係止して顔１に装着される。マスク１０は、紐止めストッパー３０を装着用紐２０に沿ってスライドさせて、マスク本体１１の筒状部１３からループ状の長さ調整部である調整用ループ部２１へ装着用紐２０を移動させることにより、装着用紐２０の拘束ループ部２２で耳を締め付けてマスク本体１１を顔１に押し付ける。
【００２５】
図１（ｂ）に示すように、マスク１０は、顎５とマスク本体１１の間に指を差し入れて、マスク本体１１の下縁１１ｂを前方へ引っ張ることにより、マスク本体１１を前方へ引き出して顎５とマスク本体１１との間に隙間１１ｃを形成して、マスク本体１１の内側空間を外気に連通させることができる。
【００２６】
マスク１０は、このように、マスク本体１１の下側を容易に開閉できる構造が特徴であって、顔１にマスク１０を装着したまま、隙間１１ｃを通じて外気の受け入れが可能であり、また、マスク本体１１の下側を上側へめくることにより、食事や水分の摂取が可能である。
【００２７】
マスク１０は、紐止めストッパー３０を下方へスライドさせて顎５の下の装着用紐２０を緩めることにより、装着用紐２０の拘束ループ部２２を耳３、３から外すことなく、顔１とマスク１０との間に隙間１１ｃを形成可能である。顔１とマスク１０との間に隙間１１ｃを形成することで、マスク１０に覆われた顔１の部分の通気性を良くして新鮮な外気を取り入れ安くし、隙間１１ｃを通じて、顔１とマスク１０との間にこもった熱、気体、匂い、炭酸ガスなどを、外気へ排出することが可能である。顔１とマスク１０との間に二酸化炭素をこもらせない防止策ともなるものである。
【００２８】
マスク１０は、マスク本体１１と装着用紐２０と紐止めストッパー３０とで構成される。マスク本体１１は、縫合された複数層の布からなり、鼻２を横断する補強部１２がその上縁１１ａに沿って形成されると共に中央に開口部１３ａを設けた左右の筒状部１３がその下縁１１ｂに沿って形成されている。装着用紐２０は、開口部１３ａからリング状の調整用ループ部２１を突出させて左右の筒状部１３を貫通した後に、左右の耳３を拘束する拘束ループ部２２を形成してその両端がマスク本体１１の上縁１１ａに固定されている。紐止めストッパー３０は、マスク１０を顔１に装着したとき、調整用ループ部２１の両端部で装着用紐２０を摩擦保持すると共に筒状部１３の開口部１３ａに係合する。図２（ａ）に示すように、補強部１２には、形状保持樹脂又は金属製ワイヤのノーズフィット１２ａが収容されて、鼻の形に合わせて変形可能である。尚、このノーズフィット１２ａは、あれば、これを折ることによって、鼻と頬との間に隙間が生ずるのを防止できるが、なくともよい。
【００２９】
図２（ａ）に示すように、マスク１０は、マスク本体１１の左右に装着用紐２０の拘束ループ部２２が形成され、マスク本体１１の中央の開口部１３ａに装着用紐２０の調整用ループ部２１が形成されている。ユーザーは、装着用紐２０に沿って紐止めストッパー３０をスライドさせることにより、あるいは図２（ｂ）に示すように、筒状部１３、１３に沿って装着用紐２０を移動させることにより、調整用ループ部２１の大きさを変更可能である。
【００３０】
図３（ａ）に示すように、拘束ループ部２２の上側の端部２２ａは、縫合１１ｅによりマスク本体１１に固定されている。拘束ループ部２２の下側の端部２２ｂは、マスク本体１１の下縁１１ｂにおいて縫合１１ｆにより形成された筒状部１３に通され、摩擦保持されており。矢印ａの方向へ摺動可能である。
【００３１】
装着用紐２０は、マスク本体１１に対して装着用紐２０の共通の面を重ねて拘束ループ部２２に９０度の捩じれを形成しているので、拘束ループ部２２の中間部分は、９０度以上捩じれることなく中間で起立して、共通の面を耳に当接させて耳３を半周周回する。このため、平坦な装着用紐２０が捩じれたエッジを耳３に突き当てることがなく、耳３に負担少なく確実にマスク本体１１を顔１に位置決めて保持できる。
【００３２】
図３（ｂ）は、（ａ）における指示記号２２Ｐで示した部分の一部断面拡大斜視図であり、図面委に示すように、装着用紐２０は、帯状の布２０ａ、２０ｂ、２０ｃ、２０ｄを二つ折りして両側の縁（２０ｂ、２０ｃ）を内側に折り込んでミシンで長手方向に縫合２０ｅを形成して縫い合わせた平坦な布紐である。このような布紐からなる装着用紐２０は、紐止めストッパー３０に対する接触面積が大きいことに加えてエッジが柔らかくて変形し易いため、装着用紐２０のエッジを紐止めストッパー３０に引っ掛けて摩擦変動することが少なく、マスク本体１１の装着状態に影響を及ぼすことなく、紐止めストッパー３０を滑らかにスライドさせることができる。尚、この装着用紐２０の素材や構成は、実施例のものに限定されない。他の例えばゴム紐や合成樹脂製のものであってもよい。また、その他のデザイン性に優れたものを用いてもよい。
【００３３】
図４（ａ）に示すように、紐止めストッパー３０は、調整用ループ部２１に一方の手の指を挿入して装着用紐２０を耳３、３の前方に位置決めした状態で、紐止めストッパー３０を他方の手の指で挟んで調整用ループ部２１に沿って前後方向（又は上下方向）及び左右方向へスムーズに移動可能である。紐止めストッパー３０は、シート材料３３が巻かれた中央部３１ａを目印にして手の指で挟むことにより、装着用紐２０の挟み込みや指のスリップを避けたスライドが可能である。
【００３４】
図４（ｂ）に示すように、紐止めストッパー３０は、アイロンをかけて平坦に圧し潰した熱可塑性樹脂繊維のベルト材料のリング３１の中央部３１ａにシート材料３３を巻いて中央部３１ａを密着させている。紐止めストッパー３０は、密着した中央部３１ａを挟んで左右に装着用紐２０を貫通させて摩擦保持する一対の貫通部３２、３２が形成されている。
【００３５】
紐止めストッパー３０は、装着用紐２０を比較的に緩く保持しており、マスク本体１１の筒状部１３は、紐止めストッパー３０よりも大きな摩擦保持力で装着用紐２０を摩擦保持している。このため、顎５とマスク本体１１との間に指を挿入して前方へ引き出した際には、紐止めストッパー３０が滑って、調整用ループ部２１から筒状部１３へ装着用紐３０が円滑に移動する。また、装着用紐２０を両耳３、３に装着して調整用ループ部２１を一方の手で保持した状態で、他方の手の指で紐止めストッパー３０を保持して前後方向（又は上下方向）及び左右方向に円滑に移動することができる。これにより、耳３、３に大きな負担をかけることなく、マスク本体１１の装着状態を調整可能である。尚、この紐止めストッパー３０の材料及び構成は、実施例のものに限定されない。それ自身がデザイン性に優れ飾りとして用いる形態のものであってもよいし、装着用紐の素材や種類によって、他の構成のものに変えることができる。また、シート材料３３にしても、これを省略して、単にその個所を縫い合わせるだけでも良い。
【００３６】
マスク１０では、耳３、３の上部に位置する装着用紐２０は、マスク本体１１で固定されているので、耳３、３の上部に位置する装着用紐２０は左右に移動しない。これに対して、顎５側では、装着用紐２０に沿って紐止めストッパー３０をスライドさせることにより、装着用紐２０を左右に移動させて左右の拘束ループ部２２の長さを変更して、顔１に対するマスク本体１１の装着位置を精密に再現性高く調整できる。
【００３７】
紐止めストッパー３０を顎５に向かってスライドさせて左右の装着用紐２０を調整用ループ部２１へ移動させることによって、マスク１０と顔１の間の隙間１１ｃが無くなってマスク１０が顔１にフィットする。これに伴って耳３、３にかかる拘束ループ部２２の長さが短くなって耳３、３にかかる力は大きくなる。しかし、耳３、３にかかる力が限界を超えると、紐止めストッパー３０に対して装着用紐２０が滑ってそれ以上の締め付けは回避される。
【００３８】
一方、耳３、３にかかる力が過剰な場合、ユーザーは、紐止めストッパー３０を顎５から遠ざかる方向にスライドさせることで、耳３、３にかかる拘束ループ部２２の長さを長くして、拘束ループ部２２が耳３、３を締め付ける力を緩めることができる。
【００３９】
＜実施の形態２＞
実施の形態２のマスク１０Ｂは、マスク本体１１Ｂ以外は実施の形態１と同一に構成されている。このため、図５、図６中、実施の形態１と共通する構成には図１〜図４と共通の符号を付して重複する説明を省略する。
【００４０】
図５（ａ）に示すように、実施の形態２のマスク１０Ｂは、装着用紐２０の拘束ループ部２２、２２を耳３、３に係止して顔１に装着される。マスク１０Ｂは、装着用紐２０に沿って紐止めストッパー３０をスライドさせてマスク本体１１Ｂから調整用ループ部２１へ装着用紐２０を移動させることにより、拘束ループ部２２、２２で耳３、３を締め付けて、マスク本体１１Ｂを顔１に押し付ける。
【００４１】
図５（ｂ）に示すように、実施の形態２のマスク１０Ｂは、顎５とマスク本体１１Ｂの間に指を差し入れてマスク本体１１Ｂの下縁１１ｂを前方へ引っ張ることにより、隙間１１ｃを形成して、マスク本体１１Ｂの内側空間を外気に連通させることができる。
【００４２】
図６（ａ）に示すように、実施の形態２のマスク１０Ｂは、マスク本体１１Ｂのマスク本体下部１５が複数のひだ１６により鼻２と口４を緩く覆ういわゆるタック付きのマスクである。このマスク本体１１Ｂは、中央を前方へ突出させて左右の両側へ平坦に成形されたマスク本体上部１４と、複数のひだ１６を折り込んでマスク本体上部１４の下縁に縫合されたマスク本体下部１５と、を有する。鼻２と口４を緩く覆う効果を高めるために、マスク本体下部１５の高さ方向の幅及び面積は、マスク本体上部１４の高さ方向の幅及び面積よりも大きい。好ましくは、幅及び面積がいずれも２倍以上である。
【００４３】
マスク本体下部１５の複数のひだ１６は、マスク本体下部１５の材料の柔軟な布に所定間隔で折り返しを付けて平坦なマスク本体上部１４に部分的に重ねて縫合１４ｅにより縫合することにより形成されている。複数のひだ１６は、裁縫技術においてはギャザー、タック、フレアーと呼ばれる構造である。図６に示すように、マスク本体上部１４には、形状保持樹脂板又はアルミニウム板のノーズフィット１４ｃが収容されて、鼻２の形に合わせて変形可能である。尚、このノーズフィットは無くてもよいことは前述した。
【００４４】
実施の形態２のマスク１０Ｂによれば、マスク本体下部１５に形成されたひだ１６によって鼻２と口４の周りに周囲の外気から隔離された空間が形成されてそこに空気が保持され、紐止めストッパー３０のスライドによってこの空間の大きさと保持する空気の量や湿度が調整される。このため、顔１に装着した状態で紐止めストッパー３０を移動して行う、呼吸の容易さや顔の湿り具合の調整が容易である。
【００４５】
実施の形態２では、マスク１０Ｂの上下の半分より上の位置でマスク本体上部１４とマスク本体下部１５を切り替えて、顔の大きな面積をマスク本体下部１５で覆って、マスク１０Ｂの裾を広げることにより、マスク本体１１Ｂと顔１との間に実施の形態１のマスク１０よりも大きな空間を形成している。このため、顔１にマスク１０Ｂを装着したまま隙間１１ｃを通じて食事や水分補強を行うことが実施の形態１のマスク１０よりも容易である。マスク１０Ｂに覆われた顔１の部分の通気性を良くし、隙間１１ｃを通じて、顔１とマスク１０との間にこもった熱、気体、匂い、炭酸ガスなどを、外気へ効率的に排出することができる上に、実施例１のものに比べて、調整用ループ部２１を緩めた際に、下縁１１ｂの部分を大きく開くことができるので、マスク１０Ｃを顔１に装着したままで食事を
摂取する場合にマスク１を汚す恐れが少ないという利点がある。
【００４６】
＜実施の形態３＞
実施の形態３のマスク１０Ｃは、マスク本体１１Ｃに対する装着用紐２０Ｃの両端の処理の形態以外は実施の形態１と同一に構成されている。このため、図７中、実施の形態１と共通する構成には図１〜図４と共通の符号を付して重複する説明を省略する。
【００４７】
上述したように、実施の形態１のマスク１０では、図２（ａ）に示すように、装着用紐２０の中央に紐止めストッパー３０を装着して調整用ループ部２１を形成している。そして、マスク本体１１の中央の開口部１３ａから筒状部１３に装着用紐２０の両端部を通過させてマスク本体１１の下端の左右へ引き出し、それぞれ拘束ループ部２２、２２を形成した後、マスク本体１１の上端の左右に挿入して縫合していた。
【００４８】
これに対して実施の形態２では、図７に示すように、マスク本体１１Ｃの上側の縁を巻いて装着用紐２０Ｃを縫合して装着用紐２０Ｃの中央部分を最初にマスク本体１１Ｃに固定している。そして、装着用紐２０Ｃの両側を折り返して、それぞれ拘束ループ部２２、２２を形成し、装着用紐２０Ｃの左右の長さ調整部２１Ａ、２１Ａをマスク本体１１の下端の左右から筒状部１３へ通過させて、中央の開口部１３ａから引き出している。そして、装着用紐２０Ｃの左右の長さ調整部２１Ａ、２１Ａを下方へ垂らして紐止めストッパー３０を装着し、左右の装着用紐２０Ｃの長さ調整部２１Ａ、２１Ａに結び目２１Ｂを形成して紐止めストッパー３０を抜け止めしている。
【００４９】
＜実施の形態４＞
実施の形態４のマスク１０Ｄは、マスク本体１１Ｄに対する装着用紐２０Ｄの両端の処理の形態以外は実施の形態１と同一に構成されている。このため、図８中、実施の形態１と共通する構成には図１〜図４と共通の符号を付して重複する説明を省略する。
【００５０】
実施の形態２では、マスク本体１１Ｄは、開口部１３ａ、１３ｈ、１３ｉが形成された通気性のある１枚の厚地の不織布である。図８に示すように、装着用紐２０の中央に、紐止めストッパー３０を装着して調整用ループ部２１を形成している。そして、マスク本体１１の中央の開口部１３ａ１３ａから装着用紐２０の両端部を通過させた後に、マスク本体１１の下端に配列した開口部１３ｈ、１３ｈ、１３ｈ、１３ｈを順番に通過させて、マスク本体１１の左右へ引き出している。そして、それぞれ拘束ループ部２２、２２を形成した後、マスク本体１１の上端の左右の開口部１３ｉに挿入して結び目２０ｉを形成することにより装着用紐２０を抜け止めしている。
【産業上の利用可能性】
【００５１】
本考案は以上のように構成したので、上述したマスク１０、１０Ｂは、特許文献１のように日焼け防止用マスクとして使用することもできる。しかし、呼吸に伴って空中の有害微粒子の吸引を規制すると共に会話や咳くしゃみに伴って空中へ有害微粒子や唾液飛沫を吐出することを規制する衛生マスクとして使用することができる。この目的のために、布の間にフィルターシートを挟み込んで縫合してもよい。有害微粒子の例は、ウイルス、病原菌、カビの胞子、アレルギー物質、粉塵、土埃等である。マスク１０、１０Ｂは、大量生産されて１〜２日程度で全体を使い捨てて使用されるものであってもよい。しかし、オリジナルのデザインで個性的に手作りされ、洗濯して繰り返し使用されるものであってもよい。
【符号の説明】
【００５２】
１  顔
２  鼻
３  耳
４  口
５  顎
１０、１０Ｂ  マスク
１１、１１Ｂ  マスク本体
１１ａ  上縁
１１ｂ  下縁
１１ｃ  隙間
１１ｅ、１１ｆ  縫合
１２  補強部
１３  筒状部
１３ａ  開口部
１４  マスク本体上部
１５  マスク本体下部
１５ｅ  縫合
１６  ひだ
２０  装着用紐
２１  調整用ループ部（長さ調整部）
２２  拘束ループ部
３０  紐止めストッパー
３１  リング
３１ａ  中央部
３２  貫通部
３３  シート材料
【図１】
0003231225.tif 000003
【図２】
0003231225.tif 000004
【図３】
0003231225.tif 000005
【図４】
0003231225.tif 000006
【図５】
0003231225.tif 000007
【図６】
0003231225.tif 000008
【図７】
0003231225.tif 000009
【図８】
0003231225.tif 000010
【手続補正書】
【提出日】令和2年12月23日(2020.12.23)
【手続補正１】
【補正対象書類名】実用新案登録請求の範囲
【補正対象項目名】請求項１
【補正方法】変更
【補正の内容】
【請求項１】
中央に開口部を設けた筒状部がマスク本体の下縁の左右方向に沿って設けられた当該マスク本体と、
前記開口部から外部へ長さ調整部を突出させて前記筒状部を左右方向に貫通した後に、左右の耳を拘束する拘束ループ部を形成してその両端が前記マスク本体の前記上縁に取り付けられた装着用紐と、
前記長さ調整部において前記装着用紐を摩擦保持する紐止めストッパーと、を有し、
前記紐止めストッパーを操作して前記装着用紐の長さを調節することにより、前記マスク本体が顔面に装着される状態と、前記マスク本体のマスク本体下部側が解放される状態を形成可能となしたことを特徴とするマスク。